(57)【要約】【課題】星空を撮像した画像において、星の大小にかかわらず、星を強調できるようにする。【解決手段】デジタルカメラ１００は、星空を撮像した画像に対して星の強調処理を施すべく、エッジ強調処理を施す第１の強調処理部２０２ａと、高輝度信号の加算処理を施す第２の強調処理部２０２ｂとを備える。制御部２０１は、星空を撮像した画像における星の大きさが予め設定された閾値よりも小さい場合、第１の強調処理部２０２ａによるエッジ強調処理を施し、星の大きさが閾値以上である場合、第２の強調処理部２０２ｂによる高輝度信号の加算処理を施すように制御する。【選択図】図２
2020042497.tif 000002
【特許請求の範囲】
【請求項１】
撮像手段により星空を撮像した画像に対して、星の強調処理を施す画像処理装置であって、
前記画像における星の大きさに応じて、前記星の強調処理の種類を変更するように制御する制御手段を備えたことを特徴とする画像処理装置。
【請求項２】
星の強調処理としてエッジ強調処理を施す第１の強調処理手段と、
星の強調処理として高輝度信号の加算処理を施す第２の強調処理手段とを備え、
前記制御手段は、星が小さい場合、前記第１の強調処理手段によるエッジ強調処理を施し、星が大きい場合、前記第２の強調処理手段による高輝度信号の加算処理を施すように制御することを特徴とする請求項１に記載の画像処理装置。
【請求項３】
前記第２の強調処理手段による高輝度信号の加算処理では、前記画像と、前記画像を縮小した後に拡大した画像との差分を求め、前記画像に前記差分を加算することを特徴とする請求項２に記載の画像処理装置。
【請求項４】
前記画像における星の大きさに応じて縮小率を変更することを特徴とする請求項３に記載の画像処理装置。
【請求項５】
焦点距離が可変である光学系を介して撮像手段により星空を撮像した画像に対して、星の強調処理を施す画像処理装置であって、
前記光学系の焦点距離に応じて、前記星の強調処理の種類を変更するように制御する制御手段を備えたことを特徴とする画像処理装置。
【請求項６】
星の強調処理としてエッジ強調処理を施す第１の強調処理手段と、
星の強調処理として高輝度信号の加算処理を施す第２の強調処理手段とを備え、
前記制御手段は、広角側では、前記第１の強調処理手段によるエッジ強調処理を施し、望遠側では、前記第２の強調処理手段による高輝度信号の加算処理を施すように制御することを特徴とする請求項５に記載の画像処理装置。
【請求項７】
撮像手段により星空を撮像した画像に対して、星の強調処理を施す画像処理装置を制御する制御方法であって、
前記画像における星の大きさに応じて、前記星の強調処理の種類を変更するステップを有することを特徴とする画像処理装置の制御方法。
【請求項８】
焦点距離が可変である光学系を介して撮像手段により星空を撮像した画像に対して、星の強調処理を施す画像処理装置を制御する制御方法であって、
前記光学系の焦点距離に応じて、前記星の強調処理の種類を変更するステップを有することを特徴とする画像処理装置の制御方法。
【請求項９】
撮像手段により星空を撮像した画像に対して、星の強調処理を施す画像処理装置を制御するためのプログラムであって、
前記画像における星の大きさに応じて、前記星の強調処理の種類を変更する処理をコンピュータに実行させるためのプログラム。
【請求項１０】
焦点距離が可変である光学系を介して撮像手段により星空を撮像した画像に対して、星の強調処理を施す画像処理装置を制御するためのプログラムであって、
前記光学系の焦点距離に応じて、前記星の強調処理の種類を変更する処理をコンピュータに実行させるためのプログラム。
【発明の詳細な説明】
【技術分野】
【０００１】
本発明は、画像処理装置、その制御方法及びプログラムに関する。
【背景技術】
【０００２】
デジタルカメラにおいて、星空を撮像した画像に対して、星を認識しやすくするために星の強調処理を施す画像処理機能を備えたものがある。例えば特許文献１には、撮像装置で星空を撮像した星空画像を複数の画像領域に分割し、画像領域ごとに星の数である輝点の数を検出し、その最大値に基づいて、星空画像に対してぼかし処理を施したり、エッジ強調処理を施したりする技術が開示されている。これにより、撮像シーンによらず、自然で違和感がなく、明るい星と暗い星との明暗差を強調した撮像画像を得ることができる。
【先行技術文献】
【特許文献】
【０００３】
【特許文献１】特開２０１６−８１４６６号公報
【発明の概要】
【発明が解決しようとする課題】
【０００４】
しかしながら、エッジ強調処理は、小さい星を強調するには有効であるが、星の大きさによっては星を強調できない場合があり、逆にランダムノイズを増やすというデメリットが生じるおそれがある。特許文献１では、星の数に応じてぼかし処理やエッジ強調処理を使い分けるようにしているが、星の大きさに応じた星の強調処理については言及されていない。
【０００５】
本発明は上記のような点に鑑みてなされたものであり、星空を撮像した画像において、星の大小にかかわらず、星を強調できるようにすることを目的とする。
【課題を解決するための手段】
【０００６】
本発明の画像処理装置は、撮像手段により星空を撮像した画像に対して、星の強調処理を施す画像処理装置であって、前記画像における星の大きさに応じて、前記星の強調処理の種類を変更するように制御する制御手段を備えたことを特徴とする。
【発明の効果】
【０００７】
本発明によれば、星空を撮像した画像において、星の大小にかかわらず、星を強調することが可能となる。
【図面の簡単な説明】
【０００８】
【図１】実施形態に係るデジタルカメラの構成例を示す図である。
【図２】実施形態に係るデジタルカメラにおける星の強調処理のための機能構成を示す図である。
【図３】エッジ強調処理を施す第１の強調処理部の構成例、及び高輝度信号の加算処理を施す第２の強調処理部の構成例を示す図である。
【図４】エッジ強調処理及び高輝度信号の加算処理における各信号の輝度レベルを説明するための図である。
【図５】実施形態に係るデジタルカメラによる星の強調処理を示すフローチャートである。
【発明を実施するための形態】
【０００９】
以下、添付図面を参照して、本発明の好適な実施形態について説明する。
（第１の実施形態）
図１は、実施形態に係るデジタルカメラ１００の構成例を示す図である。本実施形態では、デジタルカメラ１００が本発明を適用した画像処理装置として機能する。
撮影レンズ１０は、ズームレンズやフォーカスレンズを含み、焦点距離が可変である。シャッター１２は、絞り機能を備える機械式シャッターである。撮像素子１４は、撮影レンズ１０及びシャッター１２を含む光学系から入射される光学像を電気信号に変換する。Ａ／Ｄ（アナログ／デジタル）変換器１６は、撮像素子１４のアナログ信号出力をデジタル信号に変換する。
【００１０】
タイミング発生回路１８は、撮像素子１４、Ａ／Ｄ変換器１６にクロック信号や制御信号を供給し、メモリ制御回路２２及びシステム制御回路５０により制御される。シャッター１２の以外にも、タイミング発生回路１８を利用した撮像素子１４のリセットタイミングの制御によって、電子シャッターとして蓄積時間を制御することが可能であり、動画撮影等に使用可能である。
【００１１】
画像処理回路２０は、Ａ／Ｄ変換器１６からのデータ或いはメモリ制御回路２２からのデータに対して所定の画像処理を行う。画像処理回路２０は、Ａ／Ｄ変換器１６からのデータ或いはメモリ制御回路２２からのデータに対して、例えば画素補間処理や色変換処理を行う。また、画像処理回路２０は、画像の切り出し、変倍処理を行い、これにより電子ズーム機能が実現される。また、画像処理回路２０は、撮像した画像データを用いて所定の演算処理を行い、これにより得られた演算結果に基づいて、システム制御回路５０が露光制御部４０、測距制御部４２に対して、ＡＦ（オートフォーカス）処理、ＡＥ（自動露光）処理、ＥＦ（フラッシュ調光）処理を行う。また、画像処理回路２０は、ＡＷＢ（オートホワイトバランス）処理も行う。
【００１２】
メモリ制御回路２２は、Ａ／Ｄ変換器１６、タイミング発生回路１８、画像処理回路２０、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００１３】
画像表示部２８は、ＴＦＴ＿ＬＣＤ等により構成され、メモリ３０に書き込まれた表示用の画像データはメモリ制御回路２２を介して画像表示部２８により表示される。画像表示部２８を用いて撮像した画像データを逐次表示すれば、電子ファインダ機能が実現される。また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００１４】
メモリ３０は、撮影した静止画像や動画像のデータを格納するためのメモリであり、所定枚数の静止画像や所定時間の動画像を格納するのに十分な記憶量を備える。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
圧縮・伸長回路３２は、適応離散コサイン変換（ＡＤＣＴ）等により画像データを圧縮伸長する。圧縮・伸長回路３２は、メモリ３０に格納された画像を読み込んで圧縮処理或いは伸長処理を行い、処理を終えたデータをメモリ３０に書き込む。
【００１５】
露光制御部４０は、シャッター１２を制御し、フラッシュ４８と連動することによりフラッシュ調光機能も有する。測距制御部４２は、撮影レンズ１０のフォーカシングを制御する。ズーム制御部４４は、撮影レンズ１０のズーミングを制御する。フラッシュ４８は、ＡＦ補助光の投光機能、フラッシュ調光機能を有する。露光制御部４０、測距制御部４２は、ＴＴＬ方式を用いて制御されており、撮像した画像データを画像処理回路２０によって演算した演算結果に基づき、システム制御回路５０が露光制御部４０、測距制御部４２に対して制御を行う。
システム制御回路５０は、デジタルカメラ１００全体を制御する。
【００１６】
各種の動作指示を入力するための操作部６０、６２、６４、６６、７０及び７２は、スイッチやダイアル、タッチパネル、視線検知によるポインティング、音声認識装置等の単数或いは複数の組み合わせにより構成される。
ここで、これらの操作部の具体的な説明を行う。
モードダイアルスイッチ６０は、電源ＯＦＦ、自動撮影モード、撮影モード、ＨＤＲ撮影モード、パノラマ撮影モード、動画撮影モード、再生モード、ＰＣ接続モード等の各機能モードを切り替え設定することができる。
【００１７】
シャッタースイッチＳＷ１ ６２は、シャッターボタンの操作途中でＯＮとなり、ＡＦ処理、ＡＥ処理、ＡＷＢ処理等の動作開始を指示する。シャッタースイッチＳＷ２ ６４は、シャッターボタンの操作完了でＯＮとなる。フラッシュ撮影の場合、ＥＦ処理を行った後に、ＡＥ処理で決定された露光時間分、撮像素子１４を露光させる。フラッシュ撮影の場合、この露光期間中に発光させて、露光期間終了と同時に露光制御部４０により遮光することで、撮像素子１４への露光を終了させる。また、撮像素子１４から読み出した信号を記録媒体１５０に書き込む記録処理までの一連の処理の動作開始を指示する。より具体的には、Ａ／Ｄ変換器１６、メモリ制御回路２２を介してメモリ３０に画像データを書き込む読み出し処理、画像処理回路２０やメモリ制御回路２２での演算を用いた現像処理、メモリ３０から画像データを読み出し、圧縮・伸長回路３２での圧縮を行う等である。
【００１８】
表示切替スイッチ６６は、画像表示部２８の表示切替をすることができる。この機能により、光学ファインダ１０４を用いて撮影を行う際に、画像表示部２８への電流供給を遮断することにより、省電力を図ることが可能となる。
操作部７０は、各種ボタン、タッチパネルや回転式ダイアル等からなる。操作部７０としては、メニューボタン、セットボタン、マクロボタン、マルチ画面再生改ページボタン、フラッシュ設定ボタン、単写／連写／セルフタイマー切り替えボタン等がある。また、操作部７０としては、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
ズームスイッチ７２は、ユーザが撮像画像の倍率変更指示を行う。ズームスイッチ７２は、撮像画角を望遠側に変更させるテレスイッチと、広角側に変更させるワイドスイッチとを有する。このズームスイッチ７２を用いることにより、ズーム制御部４４に撮影レンズ１０の撮像画角の変更を指示し、光学ズーム操作を行うトリガとなる。また、画像処理回路２０による画像の切り出しや、画素補間処理等による撮像画角の電子的なズーミング変更のトリガともなる。
【００１９】
被写体検出部７４は、画像上の被写体を検出する。被写体検出方法としては、パターンマッチング、特徴点抽出等、公知の方法を適用可能であり、限定されるものではない。
電源８６は、アルカリ電池の一次電池やＮｉＣｄ電池やＮｉＭＨ電池、Ｌｉイオン電池等の二次電池、ＡＣアダプター等からなる。
インタフェース９０は、記録媒体１５０とのインタフェース、コネクタ９２は、記録媒体１５０と接続を行うコネクタである。記録媒体１５０は、メモリカードやハードディスク等の記録媒体である。記録媒体１５０は、半導体メモリや磁気ディスク等から構成される記録部１５１、デジタルカメラ１００とのインタフェース１５２、デジタルカメラ１００と接続を行うコネクタ１５３を備える。
【００２０】
光学ファインダ１０４は、画像表示部２８による電子ファインダ機能を使用すること無しに、光学ファインダのみを用いて撮影を行うことが可能である。
通信部１１０は、ＵＳＢ、ＩＥＥＥ１３９４、ＬＡＮ、無線通信、等の各種通信機能を有する。コネクタ１１２は、通信部１１０によりデジタルカメラ１００を他の機器と接続するコネクタであり、無線通信の場合はアンテナがこれに相当する。
以上述べたデジタルカメラ１００の各構成は、ハードウェアとして構成しても、その一部或いは全部をソフトウェアモジュールとして構成してもよい。
【００２１】
図２に、実施形態に係るデジタルカメラ１００における星の強調処理のための機能構成を示す。図２に示す機能構成は、例えばシステム制御回路５０及び画像処理回路２０により実現される。
星の強調処理のための機能構成として、制御部２０１と、画像処理部２０２とを備え、制御部２０１の制御下で、画像処理部２０２は、光学系及び撮像素子１４により星空を撮像した画像（以下、星空画像と称する）に対して星の強調処理を施す。例えば天体（星空）撮像モードを用意しておき、天体（星空）撮像モードが設定されている状態で撮像される画像を星空画像とし、星空画像から検出された一定の条件を満たす輝点を星として取り扱うようにする。
【００２２】
画像処理部２０２は、星の強調処理としてエッジ強調処理を施す第１の強調処理部２０２ａと、星の強調処理として高輝度信号の加算処理を施す第２の強調処理部２０２ｂとを備える。
【００２３】
制御部２０１は、星空画像における星の大きさに応じて、星の強調処理として、第１の強調処理部２０２ａによるエッジ強調処理を施すか、第２の強調処理部２０２ｂによる高輝度信号の加算処理を施すかを変更するように制御する。具体的には、星の大きさが予め設定された閾値よりも小さい場合、第１の強調処理部２０２ａによるエッジ強調処理を施し、星の大きさが閾値以上である場合、第２の強調処理部２０２ｂによる高輝度信号の加算処理を施す。なお、星空画像における星の大きさを検出する手法としては、例えば領域判別等で星を検出して、その大きさを取得する手法や、画像の縮小を繰り返して、星が消える画像縮小率に基づいて星の大きさを取得する手法等がある。
【００２４】
図３は、画像処理部２０２の具体的な構成例を示す図であり、（ａ）はエッジ強調処理を施す第１の強調処理部２０２ａの構成例を示し、（ｂ）は高輝度信号の加算処理を施す第２の強調処理部２０２ｂの構成例を示す。
【００２５】
図３（ａ）に示すように、第１の強調処理部２０２ａでは、ハイパスフィルタ（ＨＰＦ）３０２により、星空画像データである入力信号３０１のうち遮断周波数よりも低い周波数の成分を逓減させて、高域信号３０３を得る。ハイパスフィルタ３０２は、例えば隣接画素を参照する［−１，２，−１］等のフィルタである。そして、加算回路３０４により、入力信号３０１と高域信号３０３とを加算し、エッジ強調信号３０５を出力信号として得る。なお、入力信号３０１は、ＲＧＢでもＹＵＶでもよいが、輝度信号Ｙは全画素揃っている方が好ましい。
【００２６】
図３（ｂ）に示すように、第２の強調処理部２０２ｂでは、縮小部３１２、拡大部３１３により、星空画像データである入力信号３１１を縮小した後に拡大して、低域信号３１４を得る。このように入力信号３１１を縮小した後に元のサイズに戻すように拡大することにより、夜空（星空のうち、星のない空の部分）の輝度レベルを表わすボケ画像を生成することができる。次に、減算回路３１５により、入力信号３１１から低域信号３１４を減算して差分を求め、星の輝度レベルを表わす高輝度信号３１６を得る。そして、加算回路３１７により、入力信号３１１と高輝度信号３１６とを加算し、高輝度部の輝度レベルを上げた高輝度部強調信号３１８を出力信号として得る。
【００２７】
ここで、図４（ａ）〜（ｃ）を参照して、エッジ強調処理及び高輝度信号の加算処理における各信号の輝度レベルを説明する。各図において、横軸は画像の座標を表わし、縦軸は輝度レベルを表わす。図４（ａ）、（ｂ）は、エッジ強調処理における各信号の輝度レベルを示す。また、図４（ｃ）は、高輝度信号の加算処理における各信号の輝度レベルを示す。なお、図３で説明した信号に対応するものには、同じ符号を付して説明する。
【００２８】
図４（ａ）は、小さい星に対してエッジ強調処理を施した例を示す。入力信号３０１は、星が写っている部分において１画素から数画素の画素数の幅を持つ高輝度信号となる。高域信号３０３は、ハイパスフィルタ３０２により、入力信号３０１のうち遮断周波数よりも低い周波数の成分を逓減させたものであり、エッジ部にアンダーシュートとオーバーシュートが生成される。エッジ強調信号３０５は、入力信号３０１と高域信号３０３とを加算したものであり、エッジを強調するとともに、星全体の輝度レベルが上がることにより、星を強調することができる。
【００２９】
また、図４（ｂ）は、大きい星に対してエッジ強調処理を施した例を示す。入力信号３０１は、星が写っている部分において数画素よりも多くの画素数の幅を持つ高輝度信号となる。高域信号３０３は、ハイパスフィルタ３０２により、入力信号３０１のうち遮断周波数よりも低い周波数の成分を逓減させたものであり、エッジ部にアンダーシュートとオーバーシュートが生成されるが、大きい星であるため、中央部にはオーバーシュートが生成されず、凹形状になってしまう。エッジ強調信号３０５は、入力信号３０１と高域信号３０３とを加算したものであるが、中央部の輝度レベルが上がらないため、星を強調することができない。
【００３０】
一方、図４（ｃ）は、大きい星に対して高輝度信号の加算処理を施した例を示す。入力信号３１１は、図４（ｂ）における入力信号３０１と同様に、星が写っている部分において数画素よりも多くの画素数の幅を持つ高輝度信号となる。高輝度信号３１６は、入力信号３１１から夜空の輝度レベルを減算することにより、星の輝度レベルを表わすようにした信号である。高輝度部強調信号３１８は、入力信号３１１と高輝度信号３１６とを加算したものであり、星全体の輝度レベルが上がることにより、星を強調することができる。
【００３１】
このように、星空画像における星の大きさに応じて、星の強調処理の種類を変更する。具体的には、星の大きさが小さい場合、エッジ強調処理を施し、星の大きさが大きい場合、高輝度信号の加算処理を施す。これにより、星空画像において、星の大小にかかわらず、星を強調することが可能となる。
【００３２】
図５は、実施形態に係るデジタルカメラ１００による星の強調処理を示すフローチャートである。
ステップＳ１で、制御部２０１は、星空画像における星の大きさを検出する。上述したように、天体（星空）撮像モードが設定されている状態で撮像される画像を星空画像とし、星空画像から検出された一定の条件を満たす輝点を星として取り扱うようにする。そして、領域判別等で星を検出して、その大きさを取得する手法や、画像の縮小を繰り返して、星が消える画像縮小率に基づいて星の大きさを取得する手法等より、星空画像における星の大きさを検出する。
【００３３】
ステップＳ２で、制御部２０１は、ステップＳ１において検出した星の大きさが、閾値以上であるか否かを判定する。星の大きさが閾値以上であると判定した場合、星の強調処理として高輝度信号の加算処理を施すべく、ステップＳ３に進む。一方、星の大きさが閾値よりも小さいと判定した場合、星の強調処理としてエッジ強調処理を施すべく、ステップＳ７に進む。
【００３４】
ステップＳ３で、制御部２０１は、夜空の輝度レベルを表わすボケ画像を生成するための縮小部３１２の縮小率を決定する。縮小率を一定の値として予め設定しておいてもよいし、可変としてもよい。例えば星空画像における星が大きい場合、縮小率をより大きくすることにより、大きな星の影響を取り除いて夜空の輝度レベルを表わすボケ画像を生成することができる。なお、縮小部３１２の縮小率を決定すれば、それに応じて拡大部３１３の拡大率が決定される。
ステップＳ４で、制御部２０１の制御下で第２の強調処理部２０２ｂは、縮小部３１２、拡大部３１３により、星空画像データである入力信号３１１を縮小した後に拡大して、低域信号３１４を得て、入力信号３１１から低域信号３１４を減算して差分を求め、星の輝度レベルを表わす高輝度信号３１６を得る。
ステップＳ５で、制御部２０１の制御下で第２の強調処理部２０２ｂは、高輝度信号３１６に対して所望のゲインをかける。
ステップＳ６で、制御部２０１の制御下で第２の強調処理部２０２ｂは、入力信号３１１と、ステップＳ５においてゲインをかけた高輝度信号３１６とを加算して、高輝度部強調信号３１８を得る。
【００３５】
一方、ステップＳ７で、制御部２０１の制御下で第１の強調処理部２０２ａは、星空画像データである入力信号３０１から高域信号３０３を得て、入力信号３０１と高域信号３０３とを加算して、エッジ強調信号３０５を得る。
【００３６】
なお、本実施形態では、ステップＳ２における閾値を単一の値として、星を大、小に分けることを想定しているが、例えば閾値を２つ設定して、星を大、中、小に分けるようにしてもよい。この場合に、星の大きさの中間範囲では、エッジ強調処理と高輝度信号の加算処理とを組み合わせた画像処理を行うようにする。例えばエッジ強調処理における高域信号３０３と、高輝度信号の加算処理における高輝度信号３１６とを適宜混合させて入力信号に加算すればよい。
【００３７】
（第２の実施形態）
第１の実施形態では、星空画像における星の大きさを検出して、それに応じて、エッジ強調処理と高輝度信号の加算処理とを使い分けるようにしたが、光学系の焦点距離に応じて、エッジ強調処理と高輝度信号の加算処理とを使い分けるようにしてもよい。
具体的には、広角側では、星空画像における星は小さく写り込むのに対して、望遠側では、星は大きく写り込む。したがって、予め設定された閾値よりも広角側では、第１の強調処理部２０２ａによるエッジ強調処理を施し、閾値よりも望遠側では、第２の強調処理部２０２ｂによる高輝度信号の加算処理を施すようにする。
これにより、第１の実施形態と同様、星空画像において、星の大小にかかわらず、星を強調することが可能となる。
【００３８】
なお、上記実施形態で述べたもの以外にも、例えば天体（星空）撮像モードが設定されている状態で、画像表示部２８を用いて撮像した画像データを逐次表示するライブ画像に本発明を適用してもよい。この場合に、間引き駆動による全画角表示時は、星空画像における星は小さく写り込むのに対して、非加算駆動による拡大表示時は、星は大きく写り込む。したがって、全画角表示時は、第１の強調処理部２０２ａによるエッジ強調処理を施し、拡大表示時は、第２の強調処理部２０２ｂによる高輝度信号の加算処理を施すようにする。
【００３９】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
例えば上記実施形態では、デジタルカメラ１００が本発明を適用した画像処理装置として機能する形態を説明したが、本発明を適用した画像処理装置を、デジタルカメラ等の撮像装置と別体で構成するようにしてもよい。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１０：撮影レンズ、１４：撮像素子、２０：画像処理回路、５０：システム制御部、２０１：制御部、２０２：画像処理部、２０２ａ：第１の強調処理部、２０２ｂ：第２の強調処理部
【図１】
2020042497.tif 000003
【図２】
2020042497.tif 000004
【図３】
2020042497.tif 000005
【図４】
2020042497.tif 000006
【図５】
2020042497.tif 000007